(57)【要約】【課題】電源を切ることなく、バッテリによる駆動電源を確保する事のできる内視鏡装置を提供する。【解決手段】バッテリ型電源の筐体内部には、上ケース３３と下ケース３４とで２つのバッテリ２２が収納されるバッテリ収納部が形成され、その開口前に固定レバー２８がスライド自在に配置され、一方のバッテリ２２を外すために固定レバー２８を移動すると、他方のバッテリ２２を取り外すための固定レバー２８の移動が規制され、同時には２つのバッテリ２２が取り外せないようにして電源を切ることなく駆動電源を供給可能にした。【選択図】  図１０
2004305383.tif 000002
【特許請求の範囲】
【請求項１】
内視鏡検査に必要な少なくとも１つの装置がバッテリで駆動され、
前記バッテリを筐体内に収納可能な内視鏡装置において、
複数のバッテリと、
バッテリを収納する複数の収納部と、
バッテリ収納部に固定する複数の固定レバーと、
前記複数の固定レバーの移動によりバッテリを取り出し可能にすると共に、同時に２つ以上のバッテリの取り出しを規制する規制手段を備えたことを特徴とする内視鏡装置。
【請求項２】
前記バッテリを保持する固定レバーと、
バッテリを着脱する装置の開口部をふさぐ扉に組み付けられたブロックが、
前記固定レバーがバッテリを固定する所定の位置に無い時に干渉する位置関係にしたことを特徴とする請求項１記載の内視鏡装置。
【発明の詳細な説明】
【０００１】
【発明の属する技術分野】
本発明は、携帯に適した内視鏡や、生体内に挿入し生体情報を得るカプセルと共に使用される体外ユニット等、バッテリで駆動する内視鏡装置に関する。
【０００２】
【従来の技術】
内視鏡検査で必要な周辺装置、例えば、視野を確保する為光を供給する光源装置や、撮像ユニット（ＣＣＤ）で得た観察像信号を変換しモニタに表示するビデオ装置等がある。
これら内視鏡用の周辺装置は、従来の例えば専用カートに搭載した設置型のみならず、近年では、いかなる状況下でも即時に内視鏡検査を行う事のできる携帯型や、さらに、カプセルを生体に挿入し生体情報を得るカプセル内視鏡の体外ユニット等がある。
【０００３】
例えば、携帯型では内視鏡用バッテリ光源装置として、特開２００１−２１１５５７号公報がある。
これらバッテリ光源やカプセル内視鏡体外ユニットは、容易に持ち運びができる事が１つの特徴である。
【０００４】
これを実現する１つの要素として、周辺装置を駆動する電源が、設置型のように設置場所の商用電源を用いずに、充電可能で比較的小型軽量なバッテリが用いられている。
このバッテリは、充電されている残量が減り、装置の機能が十分発揮出来ない状態になる事が考えられる。
【０００５】
また、特開２０００−２９２７１１号公報では予備のバッテリを収納した交換用バッテリケースを備えたものが開示されている。これにより、残量の少ないバッテリと交換ができる。
【０００６】
【特許文献１】
特開２００１−２１１５５７号公報
【０００７】
【特許文献２】
特開２０００−２９２７１１号公報
【０００８】
【発明が解決しようとする課題】
しかしながら、バッテリケースを交換する際に、電源が切れて装置が停止し、照明光が消える事で検査画像が見られなくなる欠点がある。
【０００９】
（発明の目的）
本発明は、これらの諸事情に鑑みてなされたものであり、電源を切ることなく、比較的長時間、装置の駆動電源を確保する事のできるバッテリを搭載した内視鏡装置を提供する事を目的とする。
さらに、バッテリの半挿し等を防止し、確実に周辺装置の駆動電源を確保する事のできる、バッテリを搭載した内視鏡装置を提供する事を目的とする。
【００１０】
【課題を解決するための手段】
この目的を達成する為、内視鏡検査に必要な少なくとも１つの装置がバッテリで駆動され、
前記バッテリを筐体内に収納可能な内視鏡装置において、
複数のバッテリと、
バッテリを収納する複数の収納部と、
バッテリ収納部に固定する複数の固定レバーと、
前記複数の固定レバーの移動によりバッテリを取り出し可能にすると共に、同時に２つ以上のバッテリの取り出しを規制する規制手段を備えたことを特徴とする。
以上の構成により、バッテリを交換する場合でも、一度に全てのバッテリが取り外される事を防止して、電源が切れるのを防止できるようにしている。
【００１１】
また、前記バッテリを保持する固定レバーと、バッテリを装置から着脱可能な開口部とそれをふさぐ扉に組み付けられたブロックがあり、上記固定レバーがバッテリを固定する位置に無い時に固定レバーとブロック干渉し、扉が閉まらなくなる手段をバッテリを搭載した内視鏡装置に具備した事を特徴としている。
以上の構成により、バッテリを装置に装着した時に、バッテリの半挿し等を使用者が確認する事ができる。
【００１２】
【発明の実施の形態】
以下、図面を参照して本発明の実施の形態を説明する。
（第１の実施の形態）
図１から図１１は本発明の第１の実施の形態に係り、図１は第１の実施の形態の内視鏡装置を示し、図２は扉を外した状態のバッテリ型電源装置を示し、図３はバッテリ型電源装置の筐体内部を示し、図４は図３における固定レバー及びバッテリ部分を示し、図５は図４においてバッテリ等を取り外して固定レバー等を示し、図６はバッテリを示し、図７は接点バネを示し、図８はバッテリの左側の接点部に接点バネが接触している状態を示し、図９はバッテリの右側の接点部に接点バネが接触している状態を示し、図１０は固定レバーを移動して一方のバッテリを外す様子を示し、図１１はベルトを取り付けたバッテリ型電源装置を示し、図１２はベルトを用いてバッテリ型電源装置を使用者が携帯保持した状態を示し、図１３はバッテリ型電源装置におけるベルトの着脱機構を示し、図１４はベルトの装着部分を示す。
【００１３】
図１に示すように第１の実施の形態の内視鏡装置１は、内視鏡検査を行う携帯型内視鏡２と、この携帯型内視鏡２に装着される光源ユニット３に電源を供給するバッテリ型電源装置４（制御機能を含んでも良い）とから構成される。
携帯型内視鏡２は、細長の挿入部６と、この挿入部６の基端側に連設され、側部から突設するライトガイド口金７を有する把持部を兼ねる操作部８と、この操作部８の後端に形成された接眼部９とを備えている。
【００１４】
操作部８の側部に突設されたライトガイド口金７にはバッテリにより点灯される小型の光源ユニット３が着脱自在で接続される。
このバッテリ型光源３は、内部に光源ランプと、その光源ランプの光を集光してライトガイド口金７のライトガイドに供給する集光レンズとを内蔵すると共に、後端側には回転操作で電源のＯＮ／ＯＦＦを行うスイッチ１１が設けてある。また後端面のコネクタ受けに着脱されるコネクタを設けたケーブル１２を介してバッテリ型電源装置４と接続できるようにしている。
【００１５】
上記挿入部６はその先端に設けられた硬質の先端部１４と、この先端部１４の後部に設けられた湾曲自在の湾曲部１５と、この湾曲部１５の後部に設けられた長尺で可撓性を有する軟性部１６とから構成されている。
上記操作部８における把持部の後方側には、湾曲操作レバー１７が設けられており、この湾曲操作レバー１７を回動操作することにより湾曲部１５を湾曲することができるようになっている。また、操作部８の後端側には、図示しない吸引装置を操作するための吸引釦１８が設けてある。また、操作部８の先端付近には、鉗子などの処置具を挿入するための鉗子挿入口１９が設けられている。
【００１６】
そして、バッテリ型光源３による照明光をライトガイドに供給し、このライトガイドにより先端部１４の照明窓から伝送された照明光を体腔内の患部等の被写体側に出射し、照明された被写体を先端部の照明窓に隣接して設けた観察窓に取り付けた対物レンズにより結像し、その結像された光学像をイメージガイドにより接眼部９付近の後端面に伝送し、接眼部９から覗くことにより、伝送された光学像を観察できるようにして、内視鏡検査や診断を行えるようにしている。
上記光源ユニット３の光源ランプを点灯する電源を供給するバッテリ型電源装置４は、例えば箱形の筐体２１でその外装が形成されている。
【００１７】
この図１に示すように、筺体２１の側面には、（図２に示す）バッテリ２２等を着脱する扉２３と、それを固定するつまみ２４とが設けてある。
また、例えば正面のフロントパネル部２５には、バッテリ型光源装置３に電源を供給するコネクタ受け２６等が設置されており、光源ユニット３に接続されたケーブル１２のコネクタ２７が着脱自在に接続される。
【００１８】
つまみ２４は、回転させたりする事で、扉２３を外す事ができる構造になっており、例えば、本実施の形態ではつまみ２４側には雄ねじ、筺体２１側には雌ねじが設けられている。
図２に示すように、扉２３を外すと、この扉２３で覆われた開口内側にはバッテリ２２を固定する固定レバー２８が配置されている。
【００１９】
本実施の形態では、この固定レバー２８を左右にスライドさせて外す事で、バッテリ２２を固定状態から固定を解除した取り外し可能なフリー状態に設定する構造にしている。
【００２０】
筺体内部２９を示した図３のように、上下方向に立設した中板３１には水平方向に四角形状の四角穴部３２が形成され、固定レバー２８は、この四角穴部３２にはめ込まれて、スライド可能な状態で組み付けられている。この中板３１の背面側の上ケース３３及び下ケース３４（図４参照）部分にバッテリ２２が着脱自在に収納される収納部が形成されている。
これら固定レバー２８及びバッテリ２２部分のみを詳細に示すものを、図４に示す。
【００２１】
図４において、固定レバー２８の基端に設けた溝部２８ａが（図３に示した）中板３１の四角穴部３２にはめ込まれ、固定レバー２８は水平方向にスライド自在に中板３１に取り付けられている。
また、固定レバー２８の内側に設けられた板バネ３６が、バッテリ２２を筺体内部２９方向（以下の凹部３７の深部方向）に付勢して、バッテリ２２を上ケース３３と下ケース３４により形成される凹部３７に収納してバッテリ収納部を形成している。
【００２２】
さらに図４に示す構造の中身として、バッテリ２２と上ケース３３と下ケース３４を除いたものを図５に示す。
図５に示すように固定レバー２８には、ビス３８により固定された板バネ３６により、この板バネ３６でバッテリ２２を凹部３７の内側方向に力を加えるようにしている。
【００２３】
また、バッテリ２２の電力を伝える接点バネ３９が、基板４０に立設させてある。そして、この状態の板バネ３６と接点バネ３９との間には図６に示す外形状態の向きでバッテリ２２が（凹部３７内に収納されるように）配置される。
従って、接点バネ３９は図６に示すバッテリ２２の接点部２２ａと接触するように板バネ３６によりバッテリ２２（の接点部２２ａの背面側）は付勢され、接点バネ３９と接点部２２ａとの電気的な接触が維持される。
【００２４】
図７は、接点バネ３９の詳細図を示す。
図７に示すように、接点バネ３９は基板４０への固定端側となる半田固定部３９ａと、略円状にして十分な弾性力を持たせたバネ部３９ｂと、このバネ部３９ｂから上方に延出され、接触させ易く凸状にしてバッテリ２２の接点部２２ａと電気的に接続する部分となるバネ接点部３９ｃとからなっている。
なお、図８と図９に、バッテリ２２の接点部２２ａが非対称な形状の場合に、天地逆に装着されても接点部２２ａが接点バネ３９に電気的にするようにした例を示している。
【００２５】
図８では、片側（図８では左側）にずれているバッテリ２２の接点部２２ａに合わせて、接点バネ３９が（基板４０に）設けられている。
同様に図９では、反対側（図９では右側）にずれているバッテリ２２の接点部１７に合わせて、接点バネ３９が設けられている。
両接点バネ３９を全て配置したのが図５に示したものとなる。
【００２６】
これらの構造において、図１０に示すように、片側（図１０では右側）の固定レバー２８を左にスライドさせ図中では右側のバッテリ２２を取り出せる位置にすると、もう片側（図１０では左側）の固定レバー２８は右にスライドする事ができなくなり、図中では左側のバッテリ２２を取り外すことができなくなる。
これにより、全てのバッテリ２２を一度に取り出すことができなくなり、意図せずに誤って装置を止めてしまう虞を確実に防止する事ができる。
【００２７】
このように本実施の形態では上ケース３３と下ケース３４とで２つのバッテリ２２を所定間隔を保って隣接するように収納するバッテリ収納部を形成し、各バッテリ２２の収納開口の前にそれぞれ固定レバー２８を２つのバッテリ２２の間の空間側に退避移動自在に配置している。
【００２８】
この場合、上記所定間隔を固定レバー２８の１個分程度とすることにより、一方のバッテリ２２を外すように間の空間側に固定レバー２８を移動すると、他方の固定レバー２８をこの空間側に少なくともバッテリ２２を外す状態になるまで移動することが出来ない状態に規制する規制手段を形成している。
従って、少なくとも一方のバッテリ２２は装着状態に保持されるので、他方のバッレリ２２を外しても装着されたバッテリ２２により電源供給状態が維持される。
【００２９】
つまり、図１に示すようにバッテリ型電源装置４により、携帯型内視鏡２の光源ユニット３に電源を供給する状態に設定した場合、一方のバッテリ２２の電気エネルギが少なくなって、そのバッテリ２２を外して新しいバッテリ２２或いは充電されたバッテリ２２に交換する場合、他方の装着されているバッテリ２２により電源が供給された状態を維持できるので、電源を切ることなく比較的長時間、光源ユニット３に駆動電源を供給することができる。
【００３０】
次にバッテリ型電源装置４の携帯手段を説明する。
図１１に示すようにこのバッテリ型電源装置４の筐体２１にはその前後に肩ベルト４１及び腰ベルト４２とが取り付けてあり、図１２に示すように使用者４３は肩には肩ベルト４１で、腰には腰ベルト４２を介して筐体２１を携帯保持できるようにしている。
【００３１】
また、筺体２１と肩ベルト４１或いは腰ベルト４２との接続方法は、図１３に示すように、筺体２１側面に設けた筺体側金具４５と、肩ベルト４１（或いは腰ベルト４２）側に設けたベルト側金具４６等が考えられる。
より具体的には、ベルト側金具４６の取り付け穴４７は取り付け穴大径部４７ａと取り付け穴小径部４７ｂとからなり、一方、筺体側金具４５は筺体側金具大径部４８ａと筺体側金具小径部４８ｂとから構成されている。
【００３２】
これにより、ベルト側金具４６の取り付け穴４７の取り付け穴大径部４７ａに、筺体側金具４５の筺体側金具大径部４８ａが通り、さらに、ベルト側金具４６をスライドさせる事で取り付け穴小径部４７ｂに筺体側金具小径部４８ｂが嵌合し固定される構造にしている。
【００３３】
固定された状態が、図１４であり、さらに、筺体側金具４５が動かないような、図示しないロック機構を設けるなどしても良い。
このように本実施の形態によれば、電源を切ることなく、比較的長時間、光源ユニット３などの内視鏡周辺装置に駆動電源を供給することができ、内視鏡検査をし易い環境を実現できる。
【００３４】
（第２の実施の形態）
次に、図１５から図１８を参照して本発明の第２の実施の形態を説明する。本実施の形態は、第１の実施の形態を改良し、固定レバー２８がバッテリ２２を固定する所定の位置以外で、バッテリ２２が十分固定されていない場合には、その事が容易に分かるような構造にしたものである。
【００３５】
まず、図１５のように、扉２３の装置内部側に向けて凸状のブロック５１が取り付けられている。
この扉２３が筺体に取り付けられた状態を上から見たものを図１６に示す。
なお、図１６には、以降の説明に必要な物のみ表示し、他の部品については省略する。
【００３６】
図１６において、扉２３に取り付けられたブロック５１が、所定の位置にある固定レバー２８の間に入るような位置関係になっている。そして、この状態からバッテリ２２が半挿し等所定の装着位置に設定されていない場合等においては、扉２３が閉まらないようにして、バッテリ２２或いは固定レバー２８が正しい状態に設定されたいないことが使用者が分かるようにしている。
【００３７】
例えば、図１７のように、どちらか一方の固定レバー２８（図１７では下側）が所定の装着位置に設定されていないバッテリ２２を正しく固定する位置（状態）から外れている場合、ブロック５１がぶつかって、扉２３が閉まらなくなり、バッテリ２２等が正しく固定されていない事が容易に分かる（確認できる）。
さらに、図１８のように、固定レバー２８がバッテリ２２に対して適切な位置に無い場合、同様にブロック５１がぶつかり、扉２３が閉まらなくなり、やはりバッテリ２２を正しく固定していない事が容易に分かる。
【００３８】
この場合、ブロック５１に傾斜部５２を設けておけば、扉２３を押し入れる事で、固定レバー２８が傾斜部５２に沿って徐々に所定の位置に移動し、扉２３を閉めた時には、固定レバー２８は所定の位置に自動的に導かれる構造とする事もできる。
【００３９】
つまり、固定レバー２８がバッテリ２２を固定する所定の位置以外で、そのずれが大きくない場合には所定の位置に自動的に導き、ずれを解消する構造にしても良い。
このように本実施の形態によれば、第１の実施の形態の効果の他に、さらに固定レバー２８がバッテリ２２を固定する所定の位置以外で、バッテリ２２が十分固定されていない場合には、その事が容易に分かるので、固定し直すことができる。
【００４０】
なお、上述の説明では携帯型内視鏡の光源装置に電源を供給する例で説明したが、本発明はこれに限定されるものでなく、内視鏡検査で使用する光源装置やビデオ装置、あるいはカプセル内視鏡等、着脱可能なバッテリを搭載した内視鏡周辺装置に広く適用できる。
【００４１】
【発明の効果】
以上説明したように本発明によれば、誤って全てのバッテリが外される事無く、比較的長時間装置の駆動電源を確保する事ができる。
さらに、バッテリの半挿し等を防止でき、確実に装置の駆動電源を確保する事のできる。
【図面の簡単な説明】
【図１】本発明の第１の実施の形態の内視鏡装置を示す斜視図。
【図２】扉を外した状態のバッテリ型電源装置を示す斜視図。
【図３】バッテリ型電源装置の筐体内部を示す斜視図。
【図４】図３における固定レバー及びバッテリ部分を示す斜視図。
【図５】図４においてバッテリ等を取り外して固定レバー等を示す分解斜視図。
【図６】バッテリを示す斜視図。
【図７】接点バネを示す斜視図。
【図８】バッテリの左側の接点部に接点バネが接触している状態を示す斜視図。
【図９】バッテリの右側の接点部に接点バネが接触している状態を示す斜視図。
【図１０】固定レバーを移動して一方のバッテリを外す様子を示す斜視図。
【図１１】ベルトを取り付けたバッテリ型電源装置を示す斜視図。
【図１２】ベルトを用いてバッテリ型電源装置を使用者が携帯保持した状態を示す概略図。
【図１３】バッテリ型電源装置におけるベルトの着脱機構を示す斜視図。
【図１４】ベルトの装着部分を示す斜視図。
【図１５】本発明の第２の実施の形態における扉構造を示す斜視図。
【図１６】バッテリ固定状態を示す平面図。
【図１７】一方のバッテリが外れた状態の場合を示す平面図。
【図１８】固定レバーがバッテリに対して適切な固定位置に無い場合を示す平面図。
【符号の説明】
１…内視鏡装置
２…携帯型内視鏡
３…光源ユニット
４…バッテリ型電源装置
６…挿入部
７…ライトガイド口金
８…操作部
２１…筐体
２２…バッテリ
２３…扉
２４…つまみ
２５…フロントパネル部
２６…コネクタ受け
２８…固定レバー
３１…中板
３２…四角穴部
３３…上ケース
３４…下ケース
３６…板バネ
３７…凹部
３９…接点バネ
４０…基板
【図１】
2004305383.tif 000003
【図２】
2004305383.tif 000004
【図３】
2004305383.tif 000005
【図４】
2004305383.tif 000006
【図５】
2004305383.tif 000007
【図６】
2004305383.tif 000008
【図７】
2004305383.tif 000009
【図８】
2004305383.tif 000010
【図９】
2004305383.tif 000011
【図１０】
2004305383.tif 000012
【図１１】
2004305383.tif 000013
【図１２】
2004305383.tif 000014
【図１３】
2004305383.tif 000015
【図１４】
2004305383.tif 000016
【図１５】
2004305383.tif 000017
【図１６】
2004305383.tif 000018
【図１７】
2004305383.tif 000019
【図１８】
2004305383.tif 000020